(57)【要約】【課題】接ぎ合わせ材どうしを接ぎ合わせる際の位置出し精度を向上させることが可能な構造とする。【解決手段】一の接ぎ合わせ材１０と他の接ぎ合わせ材２０とを、これら接ぎ合わせ材１０，２０の各縁部１１Ｎ，１２Ｎ，２３Ｎ，２４Ｎを裏側に折り返した状態で接ぎ合わせてなる表皮材１である。一の接ぎ合わせ材１０と他の接ぎ合わせ材２０の少なくとも一方に、接ぎ合わせ時の位置合わせ用目印１０Ｓを視認しやすくする視認用切欠き部２０Ｖが形成されている。【選択図】図４
2020195745.tif 000002
【特許請求の範囲】
【請求項１】
一の接ぎ合わせ材と他の接ぎ合わせ材とを、これら接ぎ合わせ材の各縁部を裏側に折り返した状態で接ぎ合わせてなる表皮材であって、
前記一の接ぎ合わせ材と前記他の接ぎ合わせ材の少なくとも一方に、接ぎ合わせ時の位置合わせ用目印を視認しやすくする視認用切欠き部が形成されている、表皮材。
【請求項２】
前記一の接ぎ合わせ材は、第１表皮片と第２表皮片とがあらかじめ接ぎ合わされて構成された接ぎ合わせ材である、請求項１に記載の表皮材。
【請求項３】
前記他の接ぎ合わせ材は、第３表皮片と第４表皮片とがあらかじめ接ぎ合わされて構成された接ぎ合わせ材である、請求項１または２に記載の表皮材。
【請求項４】
前記位置合わせ用目印は、前記表皮片どうしがあらかじめ接ぎ合わされた際の接ぎ合わせ線である、請求項２または３に記載の表皮材。
【請求項５】
前記視認用切欠き部は、前記縁部を裏側に折り返してなる折り返し部の一部を裁断して形成されている、請求項４に記載の表皮材。
【請求項６】
前記折り返し部は縫い代からなり、縫製により接ぎ合わせが行われている、請求項５に記載の表皮材。
【請求項７】
前記縫い代が折り重なる重合部の少なくとも一部が裁断されて前記視認用折り返し部が形成されている、請求項６に記載の表皮材。
【請求項８】
乗物用シートの表皮材である、請求項１から７のいずれか一項に記載の表皮材。
【請求項９】
請求項１から８のいずれか一項に記載の表皮材を構成する、接ぎ合わせ材。
【請求項１０】
表地と裏地とを含む、請求項９に記載の接ぎ合わせ材。
【発明の詳細な説明】
【技術分野】
【０００１】
本発明は、表皮材および該表皮材を構成する接ぎ合わせ材に関する。
【背景技術】
【０００２】
従来、例えば、車両用シートの表皮材は、複数枚の布状の表皮片を縫い合わせることで構成されている。このような表皮材には、３枚以上の表皮片を互いに縫い合わせ、それらの表皮片が１点で合流する縫い合わせ合流部を有するものがある（例えば、特許文献１参照）。あるいは、一対の表皮片どうしを縫い合わせたもの（表皮片対）を２組揃え、組どうし（表皮片対どうし）縫い合わせて表皮材（の一部）を構成するというような４つの表皮片からなる表皮材も利用されている。
【０００３】
上記のごとく表皮片どうしを縫い合わせる際、何かを目印にして位置合わせしつつ縫い合わせることで位置出しが安定し、縫いズレが抑えられる。目印には種々あり、例えば上記のように２組の表皮片対どうしを縫い合わせる場合であれば、縫い合わせ線を目印にして位置合わせすることができる。こうした場合、表面において４本の縫い合わせ線が一か所で交差し、意匠の面でも好ましい表皮材となる。
【先行技術文献】
【特許文献】
【０００４】
【特許文献１】特開２０１７−１２１４１２号公報
【発明の概要】
【発明が解決しようとする課題】
【０００５】
しかしながら、実際の縫い合わせ作業においては上記のように位置合わせすることが難しい場合がある。例えば、２組の表皮片対のそれぞれの縫い合わせ線（接（は）ぎ合わせ線）どうしを位置合わせ（接ぎ合わせ）しようとする場合、表皮片の裏側に折り返された縫い代が邪魔になって縫い合わせ線（接ぎ合わせ線）の先端部分が視認できず、位置出し精度に劣り位置合わせがうまくいかないことがある。
【０００６】
そこで、本発明は、接ぎ合わせ材どうしを接ぎ合わせる際の位置出し精度を向上させることが可能な表皮材および該表皮材を構成する接ぎ合わせ材を提供することを目的とする。
【課題を解決するための手段】
【０００７】
本発明の一態様は、一の接ぎ合わせ材と他の接ぎ合わせ材とを、これら接ぎ合わせ材の各縁部を裏側に折り返した状態で接ぎ合わせてなる表皮材であって、
一の接ぎ合わせ材と他の接ぎ合わせ材の少なくとも一方に、接ぎ合わせ時の位置合わせ用目印を視認しやすくする視認用切欠き部が形成されている、表皮材である。
【０００８】
本態様においては、接ぎ合わせ材どうしを接ぎ合わせる際、位置合わせ用目印を視認しながらの接ぎ合わせ作業が行いやすい。このため、接ぎ合わせ材どうしを接ぎ合わせる際の位置出し精度を向上させることができる。
【０００９】
上記態様の表皮材における一の接ぎ合わせ材は、第１表皮片と第２表皮片とがあらかじめ接ぎ合わされて構成された接ぎ合わせ材であってもよい。
【００１０】
上記態様の表皮材における他の接ぎ合わせ材は、第３表皮片と第４表皮片とがあらかじめ接ぎ合わされて構成された接ぎ合わせ材であってもよい。
【００１１】
上記態様の表皮材における位置合わせ用目印は、表皮片どうしがあらかじめ接ぎ合わされた際の接ぎ合わせ線であってもよい。
【００１２】
上記態様の表皮材における視認用切欠き部は、縁部を裏側に折り返してなる折り返し部の一部を裁断して形成されていてもよい。
【００１３】
上記態様の表皮材における折り返し部は縫い代からなり、縫製により接ぎ合わせが行われているものであってもよい。
上記態様の表皮材において、縫い代が折り重なる重合部の少なくとも一部が裁断されて視認用折り返し部が形成されていてもよい。
【００１４】
上記態様の表皮材は、乗物用シートの表皮材であってもよい。
【００１５】
また、本発明の一態様は、上記のごとき表皮材を構成する接ぎ合わせ材である。
【００１６】
上記態様の接ぎ合わせ材は、表地と裏地とを含むものであってもよい。
【発明の効果】
【００１７】
本発明によれば、接ぎ合わせ材どうしを接ぎ合わせる際の位置出し精度を向上させることが可能である。
【図面の簡単な説明】
【００１８】
【図１】本発明の適用対象の一例である乗物用シートの斜視図である。
【図２】４片の表皮片を示す図である。
【図３】（Ａ）表皮片どうしを接ぎ合わせて形成した他の接ぎ合わせ材を示す図、（Ｂ）該他の接ぎ合わせ材を表にした状態を示す図である。
【図４】（Ａ）一の接ぎ合わせ材に他の接ぎ合わせ材を重ね合わせた状態を示す図、（Ｂ）他の接ぎ合わせ材の視認用切欠き部の周辺を拡大して示す図である。
【図５】表皮材の接ぎ合わせ交差部分の裏側における縫い代の重ね合わせについて説明する図である。
【図６】十字状の接ぎ合わせ線の概略を示す図である。
【図７】斜め十字状の接ぎ合わせ線の概略を示す図である。
【図８】クランク状の接ぎ合わせ線の概略を示す図である。
【図９】丁字状の接ぎ合わせ線の概略を示す図である。
【図１０】斜め丁字状の接ぎ合わせ線の概略を示す図である。
【図１１】接ぎ合わせ線の一部をずらしつつ左右の接ぎ交点の水平度を保つようにした接ぎ合わせ線の概略を示す図である。
【図１２】（Ａ）４片の表皮片、（Ｂ）第３表皮片のあらかじめ裁断された部分、（４）第４表皮片のあらかじめ裁断された部分の各サンプル画像である。
【図１３】表皮片どうしを接ぎ合わせて形成した他の接ぎ合わせ材のサンプル画像である。
【図１４】（Ａ）表にした状態の他の接ぎ合わせ材、（Ｂ）該他の接ぎ合わせ材の視認用切欠き部のサンプル画像である。
【図１５】視認用切欠き部があることよって一の接ぎ合わせ材が視認できることを示すサンプル画像である。
【図１６】視認用切欠き部があることよって接ぎ合わせ材をめくらずとも接ぎ合わせ線が視認できることを示すサンプル画像である。
【図１７】安定した位置出しによって縫いズレ抑制が図られた表皮材のサンプル画像である。
【図１８】従来の場合における４片の表皮片の一例を示す参考図である。
【図１９】従来の場合において表皮片どうしを接ぎ合わせて形成した２組の接ぎ合わせ材を示す参考図である。
【図２０】従来の場合における、表にした２組の接ぎ合わせ材を示す参考図である。
【図２１】従来の場合における、（Ａ）一の接ぎ合わせ材に他の接ぎ合わせ材を重ね合わせた状態を示す図、（Ｂ）接ぎ合わせ交差部分の裏側における縫い代の重ね合わせ部分を拡大して示す参考図である。
【図２２】従来の表皮材の接ぎ合わせ交差部分の裏側における縫い代の重ね合わせについて説明する参考図である。
【図２３】従来の場合における４片の表皮片の参考サンプル画像である。
【図２４】従来の場合における第１表皮片と第２表皮片とを接ぎ合わせて形成した一の接ぎ合わせ材のサンプル画像である。
【図２５】従来の場合における表にした状態の一の接ぎ合わせ材のサンプル画像である。
【図２６】従来の場合における第３表皮片と第４表皮片とを接ぎ合わせて形成した他の接ぎ合わせ材のサンプル画像である。
【図２７】従来の場合における表にした状態の他の接ぎ合わせ材のサンプル画像である。
【図２８】従来の場合において他の接ぎ合わせ材側から一の接ぎ合わせ材が視認できないことを示すサンプル画像である。
【図２９】従来の場合において他の接ぎ合わせ材をめくって接ぎ合わせ線を確認する様子を示すサンプル画像である。
【発明を実施するための形態】
【００１９】
以下、本発明の構成を図面に示す実施の形態の一例に基づいて説明する。
【００２０】
本発明に係る表皮材１は、一の接ぎ合わせ材１０と他の接ぎ合わせ材２０とを接ぎ合わせてなるものである。以下では、乗物用シート１００の背もたれ１１０や座１２０（図１参照）に適用して好適な表皮材の例を、適宜、比較例と対比しながら、本発明の好適な一例として説明する。なお、比較例を表す図（図１８〜図２９）においては、符号にダッシュ（’）を付して表示する。
【００２１】
本実施形態の表皮材１は、布地や皮革地といった表地１Ａと、ワンディングなどからなる裏地１Ｂとを含む（図１３参照）。以下では、４片の表皮片１１，１２，２３，２４を接ぎ合わせて表皮材１（の一部）を形成する例を示す（図２等参照）。
【００２２】
第１表皮片１１と第２表皮片１２は、縁部の縫い代１１Ｎ，１２Ｎを裏側に折り返した状態であらかじめ縫合により接ぎ合わされて一の接ぎ合わせ材１０を構成する。一の接ぎ合わせ材１０の表面には表皮片１１，１２どうしの接ぎ合わせ線１０Ｓが形成される。接ぎ合わせ線１０Ｓは、他の接ぎ合わせ材２０との接ぎ合わせ時の位置合わせ用目印として機能する。なお、本実施形態における第１表皮片１１と第２表皮片１２の構造、およびこれらを縫合して接ぎ合わせる手法は、従来におけるものと特に変わらない（図１８〜図２０、図２３〜図２５等参照）。
【００２３】
第３表皮片２３と第４表皮片２４は、縁部の縫い代２３Ｎ，２４Ｎを裏側に折り返した状態であらかじめ縫合により接ぎ合わされて他の接ぎ合わせ材２０を構成する。他の接ぎ合わせ材２０の表面には表皮片２３，２４どうしの接ぎ合わせ線２０Ｓが形成される（図３参照）。接ぎ合わせ線２０Ｓは、一の接ぎ合わせ材１０との接ぎ合わせ時の位置合わせ用目印として機能する。第３表皮片２３と第４表皮片２４の構造、およびこれらを縫合して接ぎ合わせる手法もまた従来におけるものと特に変わらない（図１８〜図２０、図２６〜図２７等参照）。
【００２４】
ここで、本実施形態では、他の接ぎ合わせ材２０に視認用切欠き部２０Ｖを形成する。
視認用切欠き部２０Ｖは、一の接ぎ合わせ材１０との接ぎ合わせ時の位置合わせ用目印（
すなわち上記の接ぎ合わせ線１０Ｓ，２０Ｓ）を視認しやすくするものであればよい。一例として本実施形態では、縫い代２３Ｎ，２４Ｎが重なり合う部分（重合部２０Ｗ）の一部を裁断してＶ字状の視認用切欠き部２０Ｖを形成する（図３〜図４、図１３〜図１４参
照）。なお、接ぎ合わせる前の段階で第３表皮片２３と第４表皮片２４のそれぞれの所定箇所をあらかじめ裁断しておいてもよい（図１２参照）。（なお、図１２等のサンプル画像からわかるとおり、第１表皮片１１には丸数字の「１」、第２表皮片１２には丸数字の「２」、第３表皮片２３には丸数字の「３」、第４表皮片２４には丸数字の「４」がそれぞれ参考までに描き込まれている。）
【００２５】
視認用切欠き部２０Ｖにより、一の接ぎ合わせ材１０と他の接ぎ合わせ材２０とを縫製
・接ぎ合わせする作業者は、接ぎ合わせ線１０と接ぎ合わせ線２０とを位置合わせしやすくなり、位置出し精度が向上する（図４、図１５〜図１６参照）。この結果、従来と同様の作業でありながら、安定した位置出し（位置出し精度の向上）ができ、縫いズレ抑制が図られ、表皮材１としての意匠面が向上する（図１７参照）。また、位置合わせの際、上の表皮（本実施形態であれば他の接ぎ合わせ材２０）をいちいちめくり接ぎ合わせ線の位置を確認しながら作業するという従来のような手間（図２８、図２９参照）を要しないので、作業時間の短縮にもなる。
【００２６】
なお、上記のごとき位置出し精度の向上の観点からすれば、視認用切欠き部２０Ｖは、
縫合ライン（図中において破線で示す）の近傍まで形成されていることが好ましい（図４等参照）。ただし、近すぎると当該部分の縫い代の幅が少なくなりすぎるので、表皮材１の強度に影響を及ぼさない範囲で視認用切欠き部２０Ｖの深さを適宜設定することが望ま
しい。
【００２７】
上記のごとき視認用切欠き部２０Ｖによる位置出し精度の向上は、４片の表皮片１１，
１２，２３，２４を接ぎ合わせた際の表皮材１の表側に現れる接ぎ合わせ線を縫いズレなく揃えるための手段として有効であるが（図６、図１７参照）、これは一例にすぎない。この他、接ぎ合わせ線を斜め十字状に揃える場合（図７参照）、所定のズレ幅（ギャップ）でクランク状にする場合（図８参照）などにももちろん視認用切欠き部２０Ｖによる位置出し精度の向上は有効となる。さらには、３片の表皮片を接ぎ合わせた際の表皮材１の表側に現れる接ぎ合わせ線が丁字状である場合（図９参照）、斜め丁字状である場合（図１０参照）、はたまた、複数（例えば６片）の表皮片を接ぎ合わせた際の表皮材１の表側に現れる接ぎ合わせ線の一部を所定のズレ幅（ギャップ）でずらしつつ、左右の接ぎ交点の水平度を保ち同じ高さに見えるようにする場合（図１１参照）などの位置出し精度の向上手段としても有効である。
【００２８】
また、本実施形態のごとく視認用切欠き部２０Ｖを設けることには、当該部分における
表皮材１の余分な厚みを減らすことができるという利点もある。すなわち、表皮材１の接ぎ合わせ交差部分の裏側における縫い代の重ね合わせ枚数が多いと、表皮材１の表面に余計な突起物のようになり、着座者に違和感（突起感）を与えかねないのに対し、視認用切欠き部２０Ｖを設けた場合には重ね合わせ枚数が減り、着座者に与えかねない違和感（突
起感）が減少する。
【００２９】
より具体的に説明する（図５、図２２参照）。従来の表皮材１’であればａ、ｂ、ｃ、ｄ、ｅ、ｆの６か所で重ね合わせが生じ得る（重ね合わせ枚数＝最大６枚となる）のに対し（図２２参照）、本実施形態の表皮材１であればａ、ｂ、ｃ、ｄの４か所のみで重ね合わせが生じ得る（重ね合わせ枚数＝最大４枚となる）ことになる（図５参照）。
【００３０】
なお、上述の実施形態は本発明の好適な実施の一例ではあるがこれに限定されるものではなく本発明の要旨を逸脱しない範囲において種々変形実施可能である。例えば、上述の実施形態では、視認用切欠き部２０Ｖを他の接ぎ合わせ材２０に設けた例を示したが、これとは逆に視認用切欠き部を一の接ぎ合わせ材１０に設けても構わないし、一の接ぎ合わせ材１０と他の接ぎ合わせ材２０の両方に設けても構わない。
【００３１】
また、上記のごとき表皮材１ないしは接ぎ合わせ材１０（２０）は、乗物用シート１００のみならず住宅用等の各種シートにも適用することができるし、はたまたシート以外の家具等にも適用することができる。
【００３２】
また、上記の実施形態では一の接ぎ合わせ材１０と他の接ぎ合わせ材２０とを縫合によって接ぎ合わせる例を説明したがこれは接ぎ合わせ材手法の一例にすぎない。この他、例えば接ぎ合わせ材どうしをステープル止めなどで接ぎ合わせる場合にも本発明を適用することが可能である。
【産業上の利用可能性】
【００３３】
本発明は、骨格部材と、該骨格部材に取り付けられるクッション材と、を備える車両用の座席に適用して好適である。
【符号の説明】
【００３４】
１…表皮材、１Ａ…表地、１Ｂ…裏地、１０…一の接ぎ合わせ材、１０Ｓ…位置合わせ用目印（表皮片どうしの接ぎ合わせ線）、１１…第１表皮片、１１Ｎ…縫い代（折り返し部）、１２…第２表皮片、１２Ｎ…縫い代（折り返し部）、２０…他の接ぎ合わせ材、２０Ｓ…位置合わせ用目印（表皮片どうしの接ぎ合わせ線）、２０Ｖ…視認用切欠き部、２０Ｗ…重合部、２３…第３表皮片、２３Ｎ…縫い代（折り返し部）、２４…第４表皮片、２４Ｎ…縫い代（折り返し部）、１００…乗物用シート、１１０…背もたれ、１２０…座
【図１】
2020195745.tif 000003
【図２】
2020195745.tif 000004
【図３】
2020195745.tif 000005
【図４】
2020195745.tif 000006
【図５】
2020195745.tif 000007
【図６】
2020195745.tif 000008
【図７】
2020195745.tif 000009
【図８】
2020195745.tif 000010
【図９】
2020195745.tif 000011
【図１０】
2020195745.tif 000012
【図１１】
2020195745.tif 000013
【図１２】
2020195745.tif 000014
【図１３】
2020195745.tif 000015
【図１４】
2020195745.tif 000016
【図１５】
2020195745.tif 000017
【図１６】
2020195745.tif 000018
【図１７】
2020195745.tif 000019
【図１８】
2020195745.tif 000020
【図１９】
2020195745.tif 000021
【図２０】
2020195745.tif 000022
【図２１】
2020195745.tif 000023
【図２２】
2020195745.tif 000024
【図２３】
2020195745.tif 000025
【図２４】
2020195745.tif 000026
【図２５】
2020195745.tif 000027
【図２６】
2020195745.tif 000028
【図２７】
2020195745.tif 000029
【図２８】
2020195745.tif 000030
【図２９】
2020195745.tif 000031